(57)【特許請求の範囲】
【請求項１】
被撮影者を撮影し、撮影画像を生成する撮影装置と、
前記撮影画像から人物画像を切り抜く切り抜き部と、
前記切り抜き部により切り抜いた前記人物画像に対して色変換処理を施す色変換部と、
背景画像と、色変換された人物画像とを合成して合成画像を作成する合成部と、
前記合成画像をリサイズしてプリント用画像及びプレビュー用画像を生成するリサイズ部と、
前記プレビュー用画像を表示する表示部と、
前記プリント用画像を印画物にプリントして出力するプリンタと、
を備え、
前記撮影装置は、前記人物画像と背景色との色差を大きくする前記撮影画像の明度のデータ量が多くなるように撮影を行い、
前記色変換部は、前記人物画像に対して明度変換を行い、明度を高くする
ことを特徴とする印画物作製装置。
【請求項２】
複数の背景画像を記憶する記憶部と、
背景画像の選択指示を受け付ける指示受付部と、
をさらに備え、
前記表示部は複数の背景画像を表示し、
前記合成部は、前記指示受付部を介して選択指示された背景画像と、色変換された人物画像とを合成して合成画像を作成することを特徴とする請求項１に記載の印画物作製装置。
【請求項３】
前記人物画像に対して美肌処理を施す美肌処理部をさらに備えることを特徴とする請求項１乃至２のいずれかに記載の印画物作製装置。
【請求項４】
前記撮影装置が被撮影者を撮影する際に被撮影者に光を照射する複数の光照射部をさらに備えることを特徴とする請求項１乃至３のいずれかに記載の印画物作製装置。
【請求項５】
前記指示受付部及び前記表示部はタッチパネルからなることを特徴とする請求項１乃至４のいずれかに記載の印画物作製装置。
【請求項６】
被撮影者を撮影し、撮影画像を生成する工程と、
前記撮影画像から人物画像を切り抜く工程と、
前記人物画像を切り抜く工程により切り抜いた前記人物画像に対して色変換処理を施す工程と、
背景画像と、色変換された人物画像とを合成して合成画像を作成する工程と、
前記合成画像をリサイズしてプリント用画像及びプレビュー用画像を生成する工程と、
前記プレビュー用画像を表示する工程と、
前記プリント用画像を印画物にプリントして出力する工程と、
を備え、
前記撮影画像を生成する工程では、前記人物画像と背景色との色差を大きくする前記撮影画像の明度のデータ量が多くなるように撮影を行い、
前記色変換処理を施す工程では、前記人物画像に対して明度変換を行い、明度を高くする
印画物作製方法。
【発明の詳細な説明】
【技術分野】
【０００１】
本発明は、顔画像が印画された印画物を作製する印画物作製装置及び印画物作製方法に関する。
【背景技術】
【０００２】
従来、免許証、パスポート、履歴書等に貼付するための証明写真等を撮影するためのボックス型の写真撮影装置が知られている。写真撮影装置は、人物を撮影し、用途に応じた様々なサイズの写真をプリントして出力する。従来の写真撮影装置では、人物を単一の背景壁紙の前に座らせて撮影を行っていた。そのため、写真の背景色を変えるには、壁紙を貼り替える必要があった。
【０００３】
また、クロマキー合成を用いた処理により、人物画像に背景用画像を合成してプリント出力する装置が知られている（例えば特許文献１参照）。利用者は、あらかじめ準備されている様々な背景用画像から所望の画像を選択することができる。
【０００４】
クロマキー合成では、撮影画像内の人物と背景色との色差を判別し、撮影画像から人物画像を切り抜かれる。人物撮影に適した撮影・照明条件で撮影を行った場合、人物と背景色との色差が小さくなり、人物画像の切り抜きが困難であった。例えば、背景色（壁紙の色）を濃くすると毛髪等との色差が小さくなり、背景色を薄くすると肌色等との色差が小さくなる。人物と背景色との色差が大きくなるような撮影・照明条件で撮影した画像から、証明写真として適する人物画像を得るためには、人物画像に対する色変換処理が必須である。従来の写真撮影装置では、人物画像に背景用画像が合成された合成画像に色変換処理を施していた。しかし、色変換処理によって合成画像中の背景の明るさが変わってしまい、利用者が所望するものとは異なる背景色の写真がプリント出力されるという問題があった。
【先行技術文献】
【特許文献】
【０００５】
【特許文献１】特許第４２１７０６６号公報
【発明の概要】
【発明が解決しようとする課題】
【０００６】
本発明はこのような点を考慮してなされたものであり、背景色の変化を防止しつつ、背景画像と、明るさが調整された人物画像との合成画像が印画された印画物を作製する印画物作製装置及び印画物作製方法を提供することを目的とする。
【課題を解決するための手段】
【０００７】
本発明の一態様による印画物作製装置は、被撮影者を撮影し、撮影画像を生成する撮影装置と、前記撮影画像から人物画像を切り抜く切り抜き部と、前記切り抜き部により切り抜いた前記人物画像に対して色変換処理を施す色変換部と、背景画像と、色変換された人物画像とを合成して合成画像を作成する合成部と、前記合成画像をリサイズしてプリント用画像及びプレビュー用画像を生成するリサイズ部と、前記プレビュー用画像を表示する表示部と、前記プリント用画像を印画物にプリントして出力するプリンタと、を備え、前記撮影装置は、前記人物画像と背景色との色差を大きくする前記撮影画像の明度のデータ量が多くなるように撮影を行い、前記色変換部は、前記人物画像に対して明度変換を行い、明度を高くするものである。
【０００８】
本発明の一態様による印画物作製装置においては、複数の背景画像を記憶する記憶部と、背景画像の選択指示を受け付ける指示受付部と、をさらに備え、前記表示部は複数の背景画像を表示し、前記合成部は、前記指示受付部を介して選択指示された背景画像と、色変換された人物画像とを合成して合成画像を作成することが好ましい。
【０００９】
本発明の一態様による印画物作製装置においては、前記リサイズ部は、前記撮影画像の縮小化処理を行い、前記切り抜き部は、縮小化された撮影画像から人物画像を切り抜くことが好ましい。
【００１１】
本発明の一態様による印画物作製装置においては、前記人物画像に対して美肌処理を施す美肌処理部をさらに備えることが好ましい。
【００１２】
本発明の一態様による印画物作製装置においては、前記撮影装置が被撮影者を撮影する際に被撮影者に光を照射する複数の光照射部をさらに備えることが好ましい。
【００１３】
本発明の一態様による印画物作製装置においては、前記指示受付部及び前記表示部はタッチパネルからなることが好ましい。
【００１４】
本発明の一態様による印画物作製方法は、被撮影者を撮影し、撮影画像を生成する工程と、前記撮影画像から人物画像を切り抜く工程と、前記人物画像を切り抜く工程により切り抜いた前記人物画像に対して色変換処理を施す工程と、背景画像と、色変換された人物画像とを合成して合成画像を作成する工程と、前記合成画像をリサイズしてプリント用画像及びプレビュー用画像を生成する工程と、前記プレビュー用画像を表示する工程と、前記プリント用画像を印画物にプリントして出力する工程と、を備え、前記撮影画像を生成する工程では、前記人物画像と背景色との色差を大きくする前記撮影画像の明度のデータ量が多くなるように撮影を行い、前記色変換処理を施す工程では、前記人物画像に対して明度変換を行い、明度を高くするものである。
【発明の効果】
【００１５】
本発明によれば、背景色の変化を防止しつつ、背景画像と、明るさが調整された人物画像との合成画像が印画された印画物を作製することができる。
【図面の簡単な説明】
【００１６】
【図１】本発明の実施形態に係る印画物作製装置の概略構成図である。
【図２】同実施形態に係る演算制御装置の概略構成図である。
【図３】同実施形態に係る画像処理プログラムを実行することで実現される機能ブロック図である。
【図４】同実施形態に係る印画物作製方法を説明するフローチャートである。
【図５】表示画面の一例を示す図である。
【図６】色変換処理前後の人物画像の明度分布の例を示すグラフである。
【図７】色空間を示す図である。
【図８】ストロボの配置例を示す図である。
【発明を実施するための形態】
【００１７】
以下、本発明の実施の形態を図面に基づいて説明する。
【００１８】
図１に本実施形態に係る印画物作製装置の概略構成を示す。印画物作製装置は、被撮影者Ｐを撮影し、撮影画像データを生成する撮影装置２と、この撮影画像データに対して画像処理を施す演算制御装置１と、印画物（写真）をプリントするプリンタ５と、撮影装置２が被撮影者Ｐを撮影する際に被撮影者Ｐに光を照射するストロボ６と、を備える。この印画物作製装置は、人物画像と背景画像を合成した合成画像を印画物にプリントして出力するものである。また、印画物作製装置における被撮影者Ｐの背中側の壁紙は、クロマキー合成に適した色、例えば青色や黄緑色になっている。
【００１９】
撮影装置２は、例えばデジタルカメラであり、レンズ、シャッタ、ＣＭＯＳセンサ、Ａ／Ｄ変換器等を有する。撮影装置２が被撮影者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置２は、撮影画像データを演算制御装置１へ出力する。
【００２０】
また、印画物作製装置は、被撮影者Ｐから各種指示を受け付けると共に、プレビュー画像を表示するタッチパネル（指示受付部及び表示部）３を備えている。
【００２１】
タッチパネル３は、操作ボタンを表示し、操作ボタンが押されると、その操作ボタンに対応した操作指示を受け付ける。例えば、タッチパネル３は、ユーザ（被撮影者Ｐ）から、印画物の用途の指示を受け付ける。印画物の用途は、プリンタ５が印画物にプリントする画像サイズ（写真サイズ）に対応しており、例えば、運転免許証、パスポート、履歴書等である。また、タッチパネル３は、少なくとも１つの背景画像候補を表示するとともに、ユーザから背景画像の選択指示を受け付けることができる。また、タッチパネル３は、ユーザからプリンタ５のプリント開始指示を受け付けることができる。
【００２２】
さらに、印画物作製装置には、被撮影者Ｐが印画物の代金として支払う貨幣を受け入れたり、釣銭を払い出したりする課金部（図示せず）が設けられている。
【００２３】
演算制御装置１は、撮影装置２、タッチパネル３、プリンタ５、ストロボ６、及び課金部に接続されており、各部の制御やデータの受け渡しを行う。
【００２４】
図２に、演算制御装置１のハードウェア構成を示す。演算制御装置１は、ＣＰＵ（中央演算処理部）１１、メインメモリ１２、ディスク装置１３、及び入出力部１４を有する。演算制御装置１の各部はバス１５を介して接続されている。
【００２５】
ディスク装置１３は、ＣＰＵ１１により実行される画像処理プログラム１６及び人物画像に合成される背景画像のデータベース１７を格納する。データベース１７には、色や模様の異なる複数の背景画像データが記録されている。
【００２６】
ディスク装置１３は例えばハードディスクドライブである。なお、画像処理プログラム１６は、ディスク装置１３でなく、ＲＯＭや磁気テープ（共に図示せず）に格納されていてもよい。
【００２７】
ＣＰＵ１１は、ディスク装置１３内の画像処理プログラム１６をメインメモリ１２にロードして、画像処理プログラム１６を実行する。
【００２８】
画像処理プログラム１６の実行に伴い、メインメモリ１２上には、撮影画像データ、人物画像データ、色変換人物画像データ、背景画像データ、及び合成画像データを格納する領域が確保される。
【００２９】
図３に、ＣＰＵ１１が画像処理プログラム１６を実行することで実現される機能ブロック図を示す。画像処理プログラム１６の実行により、選択部２１、切り抜き部２２、色変換部２３、合成部２４、及びリサイズ部２５が実現される。
【００３０】
選択部２１は、複数の背景画像についてのデータをディスク装置１３のデータベース１７から取り出し、背景画像候補データとしてタッチパネル３へ出力する。また、選択部２１は、タッチパネル３を介してユーザから背景画像の選択指示を受け付けると、ユーザにより選択された背景画像データを合成部２４に渡す。
【００３１】
切り抜き部２２は、撮影装置２により生成された撮影画像データを受け取ると、撮影画像内の人物と背景色との色差を判別し、撮影画像から人物画像を切り抜く。具体的には、背景色の部分を透明化する。ここで判別される色差とは、色相差、彩度差、又は色相差及び彩度差の組み合わせである。
【００３２】
色変換部２３は、切り抜き部２２から人物画像を受け取り、この人物画像に対して色変換処理を施し、色変換された色変換人物画像を生成する。色変換処理は、例えば、人物画像が証明写真に適した明るさとなるような処理である。色変換部２３は、色変換人物画像データを合成部２４に渡す。
【００３３】
合成部２４は、色変換部２３により生成された色変換人物画像と、選択部２１から受け取った背景画像とを合成して、合成画像を作成する。色変換人物画像の背景部分は透明化されており、この透明部分に選択部２１から受け取った背景画像を重ね合わせることで、画像合成が行われる。切り抜き部２２及び合成部２４における処理は、いわゆるクロマキー合成による処理である。
【００３４】
リサイズ部２５は、撮影装置２により生成された撮影画像又は合成部２４により作成された合成画像をタッチパネル３でのプレビュー表示に対応したサイズに縮小し、プレビュー用画像を生成する。また、リサイズ部２５は、合成部２４により作成された合成画像を、プリンタ５でプリントする写真サイズに対応したサイズに縮小し、プリント用画像を生成する。例えば、縦、横の画素を均等に間引くことで画像を縮小することができる。プリンタ５でプリントされる写真サイズは、タッチパネル３を介して指示された用途に対応している。
【００３５】
タッチパネル３を介して、ユーザからプリンタ５のプリント開始指示を受け付けると、プリント用画像のデータが、演算制御装置１からプリンタ５へ出力される。
【００３６】
プリンタ５は、演算制御装置１から受け取ったプリント用画像を用紙に印画して出力する。プリンタ５のプリント方式は特に限定されず、インクジェット方式、昇華型熱転写方式、溶融型熱転写方式等を用いることができる。
【００３７】
次に、このような印画物作製装置を用いた印画物作製方法を図４に示すフローチャートを用いて説明する。
【００３８】
（ステップＳ１０１）タッチパネル３が、印画する写真の用途の指示を受け付ける。
【００３９】
（ステップＳ１０２）被撮影者Ｐが、入金処理を行う。
【００４０】
（ステップＳ１０３）撮影装置２が、被撮影者Ｐを撮影し、撮影画像データを生成する。撮影装置２が撮影を行う際に、ストロボ６が被撮影者Ｐに光を照射する。
【００４１】
（ステップＳ１０４）画像処理部２２が、ステップＳ１０３で生成された撮影画像データをリサイズしてプレビュー用画像データを生成する。そして、タッチパネル３が、プレビュー用画像を表示する。被撮影者Ｐは、タッチパネル３に表示された画像を承諾する場合は、タッチパネル３上の決定ボタンを押す。これにより、ステップＳ１０５に進む。
【００４２】
一方、被撮影者Ｐは、再撮影を希望する場合、タッチパネル３上の再撮影ボタンを押す。これにより、ステップＳ１０３に戻る。
【００４３】
なお、ステップＳ１０３において複数回撮影を行い、タッチパネル３に複数のプレビュー用画像を表示し、被撮影者Ｐが最も気に入った画像を選択するようにしてもよい。
【００４４】
（ステップＳ１０５）切り抜き部２２が、撮影画像から人物画像を切り抜く。
【００４５】
（ステップＳ１０６）色変換部２３が、人物画像に対して色変換処理を施し、色変換人物画像を生成する。
【００４６】
（ステップＳ１０７）選択部２１が、複数の背景画像についてのデータをディスク装置１３のデータベース１７から取り出し、背景画像候補としてタッチパネル３に表示させる。
【００４７】
（ステップＳ１０８）合成部２４が、色変換人物画像と、背景画像とを合成して合成画像を作成する。さらに、リサイズ部２５が、合成画像を縮小してプレビュー用画像を作成する。ここで、合成画像に用いられる背景画像は、背景画像候補としてタッチパネル３に表示されている背景画像のうちの任意の１つである。
【００４８】
そして、タッチパネル３が、合成画像を表示する。例えば、図５に示すように、合成画像３１及び背景画像候補３２がタッチパネル３に表示される。
【００４９】
（ステップＳ１０９）被撮影者Ｐは、タッチパネル３に表示されている合成画像を承諾する場合は、タッチパネル３上の決定ボタンを押す。これにより、ステップＳ１１２に進む。背景画像を変更する場合はステップＳ１１０へ進む。
【００５０】
（ステップＳ１１０）タッチパネル３に表示されている背景画像候補の中から背景画像を選択する。
【００５１】
（ステップＳ１１１）合成部２４が、ステップＳ１０６で生成された色変換人物画像と、ステップＳ１１０で選択された背景画像とを合成して合成画像を作成する。そして、新たに作成された合成画像がタッチパネル３に表示される。
【００５２】
（ステップＳ１１２）リサイズ部２５が、合成画像データからプリント用画像データを作成する。そして、プリンタ５が、演算制御装置１からプリント用画像データを受け取り、合成画像を用紙に印画して出力する。
【００５３】
このように、本実施形態によれば、撮影画像から人物画像を切り抜き、この人物画像に対して色変換処理を施した後に、利用者が選択した背景画像との合成を行っている。そのため、利用者が選択した背景画像の色が変化することを防止できる。これにより、利用者が所望する色の背景画像と、明るさが調整された人物画像との合成画像が印画された用紙を出力することができる。
【００５４】
次に、色変換部２３による色変換処理の例を説明する。例えば、色変換部２３は、人物画像の明度分布が図６（ａ）に示すような人物画像に対して、色変換処理としての明度変換を行い、図６（ｂ）に示すような明度分布の色変換人物画像を生成する。ここで、図６（ａ）、（ｂ）のグラフにおいて、縦軸は画素数（データ量）、横軸は明度を示している。一般に、証明写真では、明度の高い画像が好まれる。しかし、図７に示す色空間からも分かるように、明度が高くなるに伴い、色差が小さくなる。クロマキー合成による人物画像の切り抜きは、人物と背景色との色差を判別することで行われるため、撮影画像の明度が高いと、人物画像の切り抜きが困難になる。そのため、図６（ａ）、図７に示すように、色差を大きくとれる明度のデータ量が多くなるように撮影装置２で撮影を行い、その後、切り抜かれた人物画像の明度変換を行い、図６（ｂ）に示すように、明度の高い画像を得ることが好ましい。
【００５５】
また、人物画像に対して、顔（肌）の細かい凹凸やブツブツ感を軽減し、すべすべした質感に加工する美肌処理を行ってもよい。美肌処理では、例えば、顔の輪郭や、髪の毛、目、鼻、口等の輪郭部分のシャープネスを保持しつつ、顔の肌部分において、シミ、シワ等を除去・軽減したり、凹凸感を軽減してなめらかに見せたりするスムージング処理が行われる。例えば、画像処理プログラム１６の実行により、上述のような美肌処理を行う美肌処理部が実現される。美肌処理部は、色変換部２３による色変換処理の前又は後に、人物画像に対して美肌処理を施す。色変換処理と美肌処理を同時に行うことができる場合は、同時に行ってもよい。
【００５６】
上記実施形態において、ストロボ６は複数設けることが好ましい。例えば、図８に示すように、被撮影者Ｐの正面だけでなく、左斜め前方、右斜め前方にもストロボ６を設けることが好ましい。このようにストロボ６を配置することで、被撮影者Ｐに光を照射した際に被撮影者Ｐの影を消すことができる。また、ストロボ６を正面のみに配置した場合、被撮影者Ｐの頬などに、被撮影者Ｐの背中側の壁紙の色が反射して写りこむ場合がある。壁紙の色は、人物画像の切り抜き時に透明化される部分となるため、壁紙の色が反射して被撮影者Ｐに重なると、人物画像を正確に切り抜くことが困難にある。しかし、図８に示すように、ストロボ６を複数設けることで、壁紙の色が反射して被撮影者Ｐに重なることを防止することができる。
【００５７】
被撮影者Ｐの左斜め前方、右斜め前方のストロボ６は、例えば被撮影者Ｐの正面を９０°とした場合、３０°〜６０°、１２０°〜１５０°の範囲に設置される。また、被撮影者Ｐにストロボ６からの光を直接照射するのではなく、印画物作製装置の装置内壁や入口カーテンからの反射照明を照射してもよい。
【００５８】
また、上記実施形態では、切り抜き部２２が撮影画像から人物画像の切り抜きを行っていたが、切り抜き処理の前に、撮影画像のリサイズ処理（縮小化処理）を行ってもよい。撮影装置２が高画素数の撮影画像を生成する場合、この撮影画像に対して、人物画像の切り抜き処理や色変換処理等の画像処理を行うと処理に時間がかかる。撮影画像を縮小することで、画像処理を高速化することができる。このリサイズ処理は、リサイズ部２５で行うことができる。
【００５９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６０】
１  演算制御装置
２  撮影装置
３  タッチパネル
５  プリンタ
６  ストロボ
１１  ＣＰＵ
１２  メインメモリ
１３  ディスク装置
１４  入出力部
１５  バス
１６  画像処理プログラム
１７  データベース
２１  選択部
２２  切り抜き部
２３  色変換部
２４  合成部
２５  リサイズ部
【図１】
0005844206.tif 000002
【図２】
0005844206.tif 000003
【図３】
0005844206.tif 000004
【図４】
0005844206.tif 000005
【図６】
0005844206.tif 000006
【図７】
0005844206.tif 000007
【図８】
0005844206.tif 000008
【図５】
0005844206.tif 000009